(57)【要約】【課題】  製造コストの低減を図ると共に、回転ブラシに絡みついた糸ゴミ等を確実に除去することができる電気掃除機用床ノズルを提供する。【解決手段】  電気掃除機用床ノズルの回転ブラシ６は、ロータ１４と、このロータ１４の外周の長手方向に形成された複数の挿入溝１４ａの各々に装着された複数の清掃体１５、１５・・とからなり、清掃体１５、１５・・の少なくとも１本は、清掃体１５の短手方向の断面中心を通る延長線６０が回転ブラシ６の回転中心６１から外れている。【選択図】図１０
2015033567.tif 000002
【特許請求の範囲】
【請求項１】
床ノズル本体と、該床ノズル本体に回転自在に支持された車輪と、該車輪の回転に伴って回転ブラシを回転させる伝達機構とを備え、下面に吸引口を有し、該吸引口に臨ませて前記床ノズル本体に前記回転ブラシが回転自在に支持されてあると共に、前記床ノズル本体に前記車輪が回転自在に支持されてあり、前記回転ブラシの回転時に、該回転ブラシに接触するように除塵体を設けた電気掃除機用床ノズルにおいて、前記回転ブラシは、ロータと、該ロータの外周の長手方向に形成された複数の挿入溝の各々に装着された複数の清掃体とからなり、該清掃体の少なくとも１本は、該清掃体の短手方向の断面中心を通る延長線が前記回転ブラシの回転中心から外れていることを特徴とする電気掃除機用床ノズル。
【請求項２】
清掃体は、一方向回転時には除塵体の先端部から根元部に向かって順次当接すると共に、前記回転方向とは逆方向の回転時には前記除塵体の根元部から先端部に向かって順次当接するように前記除塵体を設けたことを特徴とする請求項１に記載の電気掃除機用床ノズル。
【請求項３】
除塵体に塵埃や糸ゴミ等のゴミを通過させる穴部が形成されてあることを特徴とする請求項１又は２に記載の電気掃除機用床ノズル。
【請求項４】
除塵体は、床ノズル本体に取り付けられる固定部と、回転ブラシに接触する除塵部とを有し、該除塵部は、前記固定部に対して屈曲して形成されていることを特徴とする請求項１〜３のいずれか１項に記載の電気掃除機用床ノズル。
【請求項５】
床ノズル本体の吸込口後縁部に除塵体を設けたことを特徴とする請求項１〜４のいずれか１項に記載の電気掃除機用床ノズル。
【発明の詳細な説明】
【技術分野】
【０００１】
本発明は、電気掃除機で使用される電気掃除機用床ノズルに関するものである。
【背景技術】
【０００２】
従来から、回転清掃体を逆回転させたときに塵埃掻き上げ部材に付着する塵埃を掻き落し可能な塵埃掻落部材が吸込室の上壁に設けられていると共に、回転清掃体を前進方向とは反対方向に逆回転させる操作手段が設けられている電気掃除機用床ノズルが知られている。（特許文献１）。
【０００３】
また、糸くずを掻き取る性能を低下させることなく、操作荷重を軽くして操作性を向上させるために、床ノズル本体に回転自在に支持された車輪と、該車輪の回転に連動して回転ブラシを正逆回転させる伝達機構を有すると共に、吸込口部に固定ブラシを設け、この固定ブラシによって回転ブラシに付着した糸ゴミを除去する電気掃除機用床ノズルが知られている（特許文献２）。
【先行技術文献】
【特許文献】
【０００４】
【特許文献１】特開２００６−３３４０８４号公報
【特許文献２】特開平１１−９５２１号公報
【発明の概要】
【発明が解決しようとする課題】
【０００５】
上記特許文献１の電気掃除機用床ノズルは、回転清掃体を回転させる駆動源が、電動モーターであることから、コスト高となると共に、回転清掃体に糸くずが絡まる場合も考慮すると、トルクの大きなモーターを使用する必要があり、さらに製造コストが嵩んでいた。
【０００６】
一方、上記特許文献２の電気掃除機用床ノズルは、回転ブラシの回転を車輪の回転と連動させているので、回転駆動のための電動モーターを必要とせず、回転ブラシに絨毯等の毛足が絡まった場合でも回転ブラシの回転が停止し難いという効果を有するものであった。しかしながら、糸屑取りブラシは、回転ブラシの回転中心にたいして法線方向に放射状に形成されてあるので、糸屑取りブラシの短手方向の断面中心を通る延長線が回転ブラシの回転中心から外れていない。その為、糸屑取りブラシの正逆回転時の固定ブラシへの当接角度は略同一であり、固定ブラシに付着した糸くずを除去する効果が少なく、糸くずを除去しきれないという課題を有していた。
【０００７】
本発明は、上記のような課題を解決する為になされたもので、回転ブラシと車輪とを連動させることによって、モーターを不要とし、製造コストの低減を図ると共に、回転ブラシに絡みついた糸ゴミ等を確実に除去することができる電気掃除機用床ノズルを提供することを目的としている。
【課題を解決するための手段】
【０００８】
上記従来の課題を解決する為に、請求項１の電気掃除機用床ノズルの発明は、床ノズル本体と、該床ノズル本体に回転自在に支持された車輪と、該車輪の回転に伴って回転ブラシを回転させる伝達機構とを備え、下面に吸引口を有し、該吸引口に臨ませて前記床ノズル本体に前記回転ブラシが回転自在に支持されてあると共に、前記床ノズル本体に前記車輪が回転自在に支持されてあり、前記回転ブラシの回転時に、該回転ブラシに接触するように除塵体を設けた電気掃除機用床ノズルにおいて、前記回転ブラシは、ロータと、該ロータの外周の長手方向に形成された複数の挿入溝の各々に装着された複数の清掃体とからなり、該清掃体の少なくとも１本は、該清掃体の短手方向の断面中心を通る延長線が前記回転ブラシの回転中心から外れていることを特徴としている。したがって、絨毯等の床面にたいして、清掃体の先端部が鍬で掘り起こすように突き刺さって当接させることができる。その為、絨毯等の床面にたいして撫ぜるように当接する従来の回転ブラシと比較して絨毯表面にたいする大きな食い込み力を得ることができる。その為、絨毯等の床面の塵埃や糸ゴミ等を確実に清掃体に捕捉できる。また、清掃体を床面と同様に除塵体に対しても当接させることができる為、清掃体に絡みついた糸ゴミ等を確実に除去することができる。
【０００９】
請求項２の発明は、請求項１に記載の構成よりなる電気掃除機用床ノズルにおいて、清掃体は、一方向回転時には除塵体の先端部から根元部に向かって順次当接すると共に、前記回転方向とは逆方向の回転時には前記除塵体の根元部から先端部に向かって順次当接するように前記除塵体を設けたことを特徴としている。ここで、清掃体が除塵体の先端部から根元部に向かって順次当接する場合には、主に清掃体に付着した塵埃等を除去することができ、清掃体が除塵体の根元部から先端部に向かって順次当接する場合には、主に除塵体に付着した塵埃等を除去することができる。したがって、回転ブラシの回転方向を変えることによって、清掃体に付着した塵埃等と、除塵体に付着した塵埃等の両方を確実に除去することができる。また、清掃体が除塵体の先端部から根元部に向かって順次当接する場合には、清掃体が除塵体にたいして塵埃や糸ゴミ等を押し付けるようにして突き刺さるように当接し、除塵体の上下面に清掃体に付着した塵埃や糸ゴミ等を剥離させることができる。下面に付着した塵埃や糸ゴミ等の大半は掃除機本体側へ吸引される。また、清掃体が除塵体の根元部から先端部に向かって順次当接する場合には、清掃体は除塵体にたいして清掃体に付着した塵埃や糸ゴミ等を叩き落とすように当接して、塵埃や糸ゴミ等を除去できる。
【００１０】
請求項３の発明は、請求項１又は２に記載の構成よりなる電気掃除機用床ノズルにおいて、除塵体に塵埃や糸ゴミ等のゴミを通過させる穴部が形成されてあることを特徴としている。したがって、塵埃等が穴部から、掃除機本体側に吸引されるので、塵埃等が除塵体に堆積するのを防ぐことができる。
【００１１】
請求項４の発明は、請求項１〜３のいずれかに記載の構成よりなる電気掃除機用床ノズルにおいて、除塵体は、床ノズル本体に取り付けられる固定部と、回転ブラシに接触する除塵部とを有し、該除塵部は、前記固定部に対して屈曲して形成されていることを特徴としている。したがって、最適な角度で除塵部を回転ブラシに接触させることができ、除塵体の塵埃等を捕捉する効果を向上させることができる。
【００１２】
請求項５の発明は、請求項１〜４のいずれかに記載の構成よりなる電気掃除機用床ノズルにおいて、床ノズル本体の吸込口後縁部に除塵体を設けたことを特徴としている。したがって、除塵体で捕捉した糸ゴミ等を被清掃面に落とさずに電気掃除機本体側へ確実に吸引させることができる。また、比較的大きなゴミ等は除塵体に捕捉される以前に掃除機本体側に吸引することができる。
【発明の効果】
【００１３】
請求項１の発明では、清掃体の先端部を鍬で掘り起こすように突き刺さって当接させることができ、絨毯表面にたいする大きな食い込み力を得ることができることから、絨毯等の床面の塵埃や糸ゴミ等を確実に清掃体に捕捉できる。また、清掃体を床面と同様に除塵体に対しても当接させることができる為、清掃体に絡みついた糸ゴミ等を確実に除去することができる。また、請求項２の発明では、清掃体を除塵体にたいして塵埃や糸ゴミ等を押し付けるようにして、清掃体に付着した塵埃や糸ゴミ等を剥離させることができると共に、清掃体は除塵体にたいして清掃体に付着した塵埃や糸ゴミ等を叩き落とすように当接して塵埃や糸ゴミ等を除去できるので、清掃体に付着した塵埃等を確実に除去することができる。
【００１４】
また、請求項３の発明では、塵埃等が除塵体に堆積するのを防ぐことができる。さらに、請求項４の発明では、除塵体の塵埃等を捕捉する効果を向上させることができる。また、請求項５の発明では、除塵体で捕捉した糸ゴミ等を被清掃面に落とさずに電気掃除機本体側へ確実に吸引させることができ、比較的大きなゴミ等を除塵体に捕捉される以前に掃除機本体側に吸引させることができる。
【図面の簡単な説明】
【００１５】
【図１】本発明の第１実施形態を示す電気掃除機用床ノズルの斜視図。
【図２】同正面図。
【図３】同背面図。
【図４】同平面図。
【図５】同右側面図。
【図６】同上カバーを取り外した状態の正面図。
【図７】図２のＡ−Ａ断面図。
【図８】本発明の第１実施形態を示す回転ブラシの断面図。
【図９】本発明の第１実施形態を示す除塵体の斜視図。
【図１０】（ａ）床ノズル前進時の図２のＡ−Ａ部分断面図。（ｂ）床ノズル後進時の図２のＡ−Ａ部分断面図。（ｃ）従来の回転ブラシの場合の図２のＡ−Ａ断面図。
【図１１】本発明の第２実施形態を示す図２のＡ−Ａ断面図。
【図１２】本発明の第３実施形態を示す図２のＡ−Ａ断面図。
【図１３】本発明の第４実施形態を示す回転ブラシの断面図。
【図１４】（ａ）本発明の第５実施形態を示す断面図。（ｂ）本発明の第５実施形態に使用する清掃ブラシの正面図。
【発明を実施するための形態】
【００１６】
以下、本発明の実施形態について、図面を参照しながら説明する。図１は、本発明の第１実施形態を示す電気掃除機用床ノズルの斜視図であり、図２は、同正面図、図３は、同背面図、図４は、同平面図、図５は、同右側面図である。また、図６は、同床ノズルの上カバーを取り外した状態の正面図である。
【００１７】
図１〜図６を用いて本発明に係る電気掃除機用床ノズル１０の詳細について説明する。床ノズル１０は、上ケース１と、下面に吸込口２を有する下ケース３とを有する床ノズル本体４を備えている。また、床ノズル本体４の外周には、掃除の際に家具などへの傷付を防止するためのバンパー５が設けられている。
【００１８】
床ノズル本体４は、前部に、回転ブラシ６を回転自在に収納すると共に吸込口２と連通する回転ブラシ室７が配されている。また、床ノズル本体４の後部には、図示しない延長管に接続される接続管８が傾動自在に取着されている。
【００１９】
床ノズル本体４の下ケース３の前部には、一対の走行用ローラー９、９が設けられており、この走行用ローラー９、９は、床ノズル本体４に回転自在に支持されている。そして、走行用ローラー９は、床ノズル１０をフローリングなどの被清掃面に置いたとき、その掃除面と下ケース３の底面との間に所定の隙間を確保して、床ノズル１０が掃除面に密着して操作性が悪くなることを防いでいる。
【００２０】
床ノズル本体４の上ケース１及び下ケース３の後部であって、接続管８の両側には、一対の駆動用ローラー１１、１１（特許請求の範囲における車輪）が設けられている。この駆動用ローラー１１、１１は、床ノズル本体４に回転自在に支持されている。そして、駆動用ローラー１１が回転すると、伝達機構１２を介して回転ブラシ６が回転する構成となっている。尚、駆動用ローラー１１は、正回転及び逆回転の両回転をすることができるものであり、これに連動して、回転ブラシ６も正回転及び逆回転の両回転をするように構成されている。
【００２１】
伝達機構１２は、図６に示すように、ギア１２ａと、ギア１２ｂと、回転ベルトのギア１２ｃ、１２ｄと、回転ベルト１２ｅとを備えている。そして、左側の駆動用ローラー１１が回転すると、同軸のギア１２ａが回転し、このギア１２ａと噛合っているギア１２ｂが回転する。さらに、ギア１２ｂと同軸の回転ベルトのギア１２ｃが回転し、回転ベルト１２ｅを介して回転ベルトのギア１２ｄが回転する。回転ベルトのギア１２ｄは、回転ブラシ６と同軸となっているため、回転ベルトのギア１２ｄの回転によって回転ブラシ６が回転する構成となっている。
【００２２】
駆動用ローラー１１は、図６に示すように、床ノズル本体４において、回転ブラシ６の後方に形成されている車輪収容部１３に、軸受によって回転自在に軸支されており、接続管８の外側であって、伝達機構１２の内側に配置されている。
【００２３】
尚、駆動用ローラー１１の直径は、回転ブラシ６の直径よりも大きく形成されている。また、駆動用ローラー１１が１回転すると、これに連動して、回転ブラシ６が１．５回転以上回転するように回転比を設定している。
【００２４】
図７は、図２のＡ−Ａ断面図であり、図８は、第１実施形態の回転ブラシを示す断面図である。図８に示すように、回転ブラシ６は、ロータ１４と、このロータ１４の外周の長手方向に形成された４個の挿入溝１４ａ、１４ａ・・の各々に装着された４本の清掃体１５、１５とからなる。そして、清掃体１５は、この清掃体１５の短手方向の断面中心を通る延長線６０が回転ブラシ６の回転中心６１から外れている。
【００２５】
清掃体１５は、図８に示すように、平板状の基部１５ａと、この基部１５ａの上面に植設されたブラシ部１５ｂとから構成されており、基部１５ａが、ロータ１４に形成されている挿入溝１４ａに挿入されて固定されている。そして、床ノズル本体４の上ケース１の内面には、除塵体１６が着脱自在に設置されている。この除塵体１６は、回転ブラシ６のブラシ部１５ｂに接触するように設置されている。尚、本実施形態においては、４本の清掃体１５、１５・・において、清掃体１５の短手方向の断面中心を通る延長線６０が回転ブラシ６の回転中心６１から外れているようにしているが、本発明は、これに限定されるものではなく、少なくとも１本の清掃体１５において、清掃体１５の短手方向の断面中心を通る延長線６０が回転ブラシ６の回転中心６１から外れていればよいものである。
【００２６】
図９は、本発明の第１実施形態を構成する除塵体の斜視図である。この図に示すように、除塵体１６は、床ノズル本体に取り付けられる固定部１６ａと、回転ブラシに接触する尖った刃を複数備えた除塵部１６ｂとを有し、除塵部１６ｂは、固定部１６ａに対して屈曲して形成されている。また、固定部１６ａには、塵埃や糸ゴミ等のゴミを通過させる穴部１６ｃが複数形成されている。なお、除塵部１６ｂは、複数の刃が全面に向かって形成されてあるが、刃の形成角度を除塵体１６の長手方向にたいして傾斜させて鋭角になるようにすることにより、回転ブラシが回転する際に回転ブラシを構成する清掃体と除塵体１６の接触面積を増やすことができ、塵埃や糸ゴミ等の除去性能をより向上させることができる。
【００２７】
上記のように除塵体１６を構成することによって、最適な角度で除塵部１６ｂを回転ブラシに接触させることができ、除塵体１６の塵埃等を捕捉する効果を向上させることができる。また、塵埃や糸ゴミ等のゴミが穴部１６ｃを通過し、掃除機本体側に吸引されるので、塵埃等が除塵体１６に堆積するのを防ぐことができる。
【００２８】
図１０（ａ）は、床ノズル前進時の図２のＡ−Ａ部分断面図であり、図１０（ｂ）は、床ノズル後進時の図２のＡ−Ａ部分断面図である。また、図１０（ｃ）は、従来の回転ブラシを使用した場合の図２のＡ−Ａ断面図である。図１０（ａ）に示すように、床ノズルの前進時には、前述した駆動用ローラーの回転に伴って、回転ブラシ６は伝達機構を介して図面上、反時計回りに回転するように構成されており、被清掃面１９に落ちているゴミ１８は、ロータ１４に取着された清掃体１５のブラシ部１５ｂに掻き取られて付着する。そして、ブラシ部１５ｂは、除塵体１６の先端部から根元部に向かって順次当接する。この時、ブラシ部１５ｂに付着しているゴミ１８は、除塵体１６に掻き取られた後、図９で説明した穴部１６ｃを通過し、掃除機本体側に吸引される。
【００２９】
また、図１０（ｂ）に示すように、床ノズルの後進時には、前述した駆動用ローラーの回転に伴って、回転ブラシ６は伝達機構を介して図面上、時計回りに回転するように構成されており、被清掃面１９に落ちているゴミ１８は、ロータ１４に取着された清掃体１５のブラシ部１５ｂに掻き取られて付着する。そして、ブラシ部１５ｂは、除塵体１６の根元部から先端部に向かって順次当接する。この時、ブラシ部１５ｂに付着しているゴミ１８は、除塵体１６に当接して叩き落とされると共に、ブラシ部１５ｂにより除塵体１６に付着したゴミ１８が前方へ抜け落とされ、その後、図９で説明した穴部１６ｃを通過し、掃除機本体側に吸引される。したがって、回転ブラシ６の回転方向を変えることによって、清掃体１５のブラシ部１５ｂに付着した塵埃等のゴミ１８を確実に除去することができる。
【００３０】
ここで、図１０（ｃ）に示す従来の回転ブラシ２６では、清掃体２５は、基部２５ａの上面にブラシ部２５ｂが植設されており、基部２５ａがロータ２４の挿入溝２４ａに挿入されて固定されているが、清掃体の短手方向の断面中心を通る延長線６０が回転ブラシ２６の回転中心６１を通るように構成されている。したがって、回転ブラシ２６の外径を、図１０（ａ）及び（ｂ）に示す本願発明と同一の大きさとした場合には、ブラシ部２５ｂの短手方向の長さを本願発明のブラシ部１５ｂよりも短くする必要がある。
【００３１】
本願発明の清掃体１５は、短手方向の断面中心を通る延長線６０が回転ブラシの回転中心６１から外れているので、絨毯等の床面１９にたいして、清掃体１５の先端部が鍬で掘り起こすように突き刺さって当接させることができる。その為、絨毯等の床面１９にたいして撫ぜるように当接する従来の回転ブラシ２６と比較して絨毯等の床面１９にたいする大きな食い込み力を得ることができる。その為、絨毯等の床面の塵埃や糸ゴミ等を確実に清掃体１５に捕捉できる。また、清掃体１５を床面１９と同様に除塵体１６に対しても当接させることができる為、清掃体１５に絡みついた糸ゴミ等を確実に除去することができる。したがって、従来の回転ブラシ２６を使用した場合には、本願発明の回転ブラシ６を使用した場合よりも清掃効果は劣るものとなる。また、従来の回転ブラシ２６のブラシ部２５ｂの短手方向の長さを、本願発明のブラシ部１５ｂの短手方向の長さと同じにした場合には、回転ブラシ２６の外径を大きくする必要があり、床ノズルが大型化すると共に、回転ブラシ２６を回転させる駆動用ローラーが同じ場合には、回転ブラシに負荷がかかり、駆動用ローラーを大型化する必要がある。
【００３２】
図１１は、本発明の第２実施形態を示す図２のＡ−Ａ断面図である。第２実施形態では、図１１に示すように、除塵体１６を、床ノズル本体１の吸込口後縁部に設けている。この除塵体１６は、固定部１６ａが床ノズル本体１に着脱自在に設置されており、回転ブラシ６に接触する除塵部１６ｂは、固定部１６ａに対して屈曲して成形されている。
【００３３】
図１２は、本発明の第３実施形態を示す図２のＡ−Ａ断面図である。第３実施形態では、図１２に示すように、除塵部１６ｂの屈曲方向が約１８０度異なる２本の除塵体１６を床ノズル本体１に取り付けている。また、第１実施形態と同様に固定部１６ａには、塵埃や糸ゴミ等のゴミを通過させる穴部１６ｃが複数形成されている。したがって、回転ブラシ６を図面上、反時計方向に回転させた場合には、ブラシ部１５ｂは、除塵体１６の先端部から根元部に向かって順次当接する。また、回転ブラシ６を図面上、時計方向に回転させた場合も、ブラシ部１５ｂは、除塵体１６の先端部から根元部に向かって順次当接する。
【００３４】
図１３は、本発明の第４実施形態を示す回転ブラシの断面図である。第４実施形態の回転ブラシ３６は、第１実施形態の回転ブラシと同様に、４本の清掃体３５、３５・・において、清掃体の短手方向の断面中心を通る延長線６０が回転ブラシ３６の回転中心６１から外れているようにしている。
【００３５】
そして、ロータ３４に形成された挿入溝３４ａに清掃体３５の基部３５ａが挿入され、基部３５ａの上面にブラシ部３５ｂが植設されている。ここで、隣り合う２本の清掃体のブラシ部３５ｂ、３５ｂは、ロータ３４の回転中心６１を通る２等分線６２に対して傾き角が等しいハの字状となるように設置されている。このように回転ブラシ３６を構成することによって、回転ブラシ３６を床ノズルに設置して図面上、時計回りに回転させたときには、被清掃面に対して強い掻き出し力を作用させることができる。また、図面上、反時計回りに回転させたときも同様に被清掃面に対して強い掻き出し力を作用させることができる。
【００３６】
図１４（ａ）は、本発明の第５実施形態を示す断面図であり、図１４（ｂ）は、本発明の第５実施形態に使用する清掃ブラシの正面図である。本発明の第５実施形態においては、上ケース１には、着脱可能な蓋体７０が形成されてあり、蓋体７０の内壁面には除塵体１６が形成されてあると共に、フック部７１が形成されてあり、フック部７１には清掃ブラシ７２が装着されてある。このような構成とする事により、蓋体７０を取り外した後、清掃ブラシ７２を蓋体７０から取り外して除塵体１６を清掃できる。
【産業上の利用可能性】
【００３７】
本発明の電気掃除機用床ノズルは、電気掃除機の延長管の端部に連結して使用する。
【符号の説明】
【００３８】
１  上ケース
２  吸込口
３  下ケース
４  床ノズル本体
５  バンパー
６、２６、３６  回転ブラシ
７  回転ブラシ室
８  接続管
９  走行用ローラー
１０  床ノズル  
１１  駆動用ローラー
１２  伝達機構
１２ａ、１２ｂ、１２ｃ、１２ｄ  ギア
１２ｅ  回転ベルト
１３  車輪収容部
１４、２４、３４  ロータ
１４ａ、２４ａ、３４ａ  挿入溝
１５、２５、３５  清掃体
１５ａ、２５ａ、３５ａ  基部
１５ｂ、２５ｂ、３５ｂ  ブラシ部
１６  除塵体
１６ａ  固定部
１６ｂ  除塵部
１６ｃ  穴部
１８  ゴミ
１９  被清掃面
６０  延長線
６１  回転中心
６２  ２等分線
７０  蓋体
７１  フック部
７２  清掃ブラシ
【図１】
2015033567.tif 000003
【図２】
2015033567.tif 000004
【図３】
2015033567.tif 000005
【図４】
2015033567.tif 000006
【図５】
2015033567.tif 000007
【図６】
2015033567.tif 000008
【図７】
2015033567.tif 000009
【図８】
2015033567.tif 000010
【図９】
2015033567.tif 000011
【図１０】
2015033567.tif 000012
【図１１】
2015033567.tif 000013
【図１２】
2015033567.tif 000014
【図１３】
2015033567.tif 000015
【図１４】
2015033567.tif 000016